(57)【特許請求の範囲】
【請求項１】
２本のアームを有するリンク機構によってヘッド本体の放水口を閉塞する弁体を支持するスプリンクラヘッドにおいて、
前記弁体が作動時に降下して着座する第１のデフレクタを有し、
前記第１のデフレクタより小径の第２のデフレクタが前記弁体の上面または下面に一体的に設けられることを特徴とするスプリンクラヘッド。
【請求項２】
前記弁体が放水口を閉塞しているときは、前記第２のデフレクタの複数の散水片は、前記ヘッド本体と前記放水口の下端側筒部とその外側の鍔部の筒部との間の環状空隙に位置することを特徴とする請求項１記載のスプリンクラヘッド。
【発明の詳細な説明】
【技術分野】
【０００１】
本発明は、消火用のスプリンクラヘッドに関するものである。
【背景技術】
【０００２】
図５は従来の消火用のスプリンクラヘッドの縦断断面図で、１１は本体、１２は放水口、１３は雄ねじ状の第１のねじ部、１４は鍔部、１５は雌ねじ状の第２のねじ部である。
【０００３】
２１は筒状のフレーム、２２は雄ねじ、２３は１対の荷重調整用のスリット、２４は環状のフランジである。
【０００４】
３１はデフレクタ、３２は略小判形状の穴、３３は複数の散水用の爪片、３４はデフレクタ３１に立設された例えば３本のロッド（図３参照）、３５はロッド３４の上端に係止されたストッパリングである。４１は弁体、４２は凸部、４３は突出部、４４は折り曲げ片である。
【０００５】
５１はアームガイドの基板で、中央部分の孔を挿通した折り曲げ片４３によって弁体４１の下面に結合されている。５２は基板５１の長尺側の両側に設けた１対のガイド片（図５では１対のうち一方のみが図示されている）である。５６はバランサで、中央部分に凹部が設けられ、凹部には弁体４１の突出部４３が当接している。
【０００６】
６１と６４は１対のアーム、６２は第１係止穴、６３は第２係止穴である。６５は中央部にシリンダ８１を遊嵌支持する支持孔が設けられた支持板、６６と６７は支持板６５の両端部に設けられた係止片で、この係止片６６と６７はアーム６１と６４の第２係止穴６３に係合して係止している。
【０００７】
８１は上端部外周に環状鍔部を有する有底筒状のシリンダ、８２は雄ねじである。８４はシリンダ８１の底部に載置された所定温度、例えば７２度で溶融する可溶合金、８５はシリンダ８１に遊嵌され可溶合金８４を押圧する有底筒状の第１ピストンである。
【０００８】
８６はリンク押さえ板、８７はリンク押さえ板８６の両端の嵌合片で、アーム６１と６４の第１係止穴６２に嵌合（遊嵌）されている。８８は上部の雄ねじ部と下部のロッド部とからなる第２ピストンで、雄ねじ部がリング押さえ板８６の雌ねじに螺合されロッド部の先端が第１ピストン８５の底壁を押圧している。
【０００９】
９１は椀状の第１受熱板、９２は傘状の第２受熱板、９３は円板状の第３受熱板で、第１〜第３の受熱板９１〜９３は第３受熱板９３の裏面に設けた雌ねじ９４を雄ねじ８２に螺合することでシリンダ８１の下面に密着固定されている。
【００１０】
１０１は弁体４１の上面に被された例えば銅製のパッキンである。このパッキン１０１は弁体４１の凸部４２が設けられた上面と相似形状をしており、弁体４１の凸部４２に嵌合されている。
【特許文献１】実開平０６−０６３０６３号公報
【発明の開示】
【発明が解決しようとする課題】
【００１１】
このようなスプリンクラヘッドは、火災の熱を第１〜第３の受熱板９１〜９３が受熱すると可溶合金８４が溶融を開始し、溶けた合金がシリンダ８１と第１ピストン８５との隙間から流出を開始する。これによりアーム６１と６４はフランジ２４の係止点を回転中心として回転を開始する。
【００１２】
この回転により支持板６５の係止片６６と６７はアーム６１と６４の第２係止穴６３との係止を解除しようとする。この場合には、図４（ｂ）に図示するように一方の係止片６７のみが第２係止穴６３との係止を解除しようとする作動と、図４（ｃ）に図示するように２つの係止片６６と６７が同時に係止を解除しようとする作動と、これらの中間的な作動とがある。
【００１３】
ところで、図４（ｂ）の場合には支持板６５の一方の係止片６６又は６７が係止を解除するだけなので、可溶合金８４の僅かな溶融高さＬ１で係止が解除されるのに対し、図４（ｃ）の場合には図４（ｂ）の場合に比べ可溶合金８４が多量に溶融流出（高さＬ２分）しないと支持板６５の係止片６６と６７の係止を解除することが出来ない。すなわち、支持板６５のアーム６１，６４に対する係止解除のばらつき、すなわち作動時間のばらつきが生じることになる。また、シリンダ８１の移動距離を可溶合金８４の溶融高さＬ２以上に十分にとらなけらばならず、その分高さが大きくなる。
【００１４】
また、近年はシステム天井の普及により、システム天井の幅が２５ｍｍ前後のスリットに入る大きさの細径で小型のスプリンクラヘッドが要求されている。
【００１５】
このようなスプリンクラヘッドでは、デフレクタ３１の大きさ（外径）を従来の通常型のスプリンクラヘッドのように大きくすることが出来ず、図３（ａ）に図示するように、デフレクタ３１の外径を放水口１２の径に対し僅かに大径にするしかなかった。このため良好な散水パターンを得るデフレクタの設計が難しいとともに、外径を大きくする代わりに爪片の高さを高くしなければならず、高さ方向で大型化し、全体を小型化することが難しかった。
【００１６】
上記の点に鑑み、この発明の第一の目的は、構造が簡単で、組み立てが容易であり、作動感度が一定なスプリンクラヘッドを得ることである。
【００１７】
この発明の第二の目的は、小型でも散水状態が大型と変わらないスプリンクラヘッドを得ることである。
【課題を解決するための手段】
【００１８】
本発明に係るスプリンクラヘッドは、２本のアームを有するリンク機構によってヘッド本体の放水口を閉塞する弁体を支持するスプリンクラヘッドにおいて、前記弁体が作動時に降下して着座する第１のデフレクタを有し、前記第１のデフレクタより小径の第２のデフレクタが前記弁体の上面または下面に一体的に設けられることを特徴とするものである。
【００１９】
また、本発明に係るスプリンクラヘッドは、前記弁体が放水口を閉塞しているときは、前記第２のデフレクタの複数の散水片は、前記ヘッド本体と前記放水口の下端側筒部とその外側の鍔部の筒部との間の環状空隙に位置するものである。
【発明の効果】
【００２０】
この発明によれば、２本のアームを有するリンク機構によって放水口を閉塞する弁体を支持するスプリンクラヘッドにおいて、一方のアームに第１の係止部を設け、他方のアームに第２の係止部を設け、前記第２の係止部を前記第１の係止部に係止させるようにしたので、部品点数を少なくして構造を簡単にして小型化が可能であると共に、組み立てが容易であり、作動感度が一定なスプリンクラヘッドを得ることができる。
【００２１】
また、２本のアームを有するリンク機構によってヘッド本体の放水口を閉塞する弁体を支持するスプリンクラヘッドにおいて、前記弁体が作動時に降下して着座する第１のデフレクタを有し、前記第１のデフレクタより小径の第２のデフレクタが前記弁体の上面または下面に一体的に設けられるようにしたので、小型でも散水状態が良好な大型と変わらないスプリンクラヘッドを得ることができる。
【発明を実施するための最良の形態】
【００２２】
以下この発明について、図１〜図４により説明する。図１は第１の実施の形態の縦断面図である。
【００２３】
図１において、１１は本体である。本体１１には、上下に貫通する放水口１２が設けられると共に、上部外周には図示しない配管類に接続するための例えば雄ねじ状の第１のねじ部１３が設けられる。また、下部には鍔部１４が設けられ、鍔部１４の下方には例えば雌ねじ状の第２のねじ部１５が設けられる。
【００２４】
２１は筒状のフレームである。フレーム２１には、その上部に雄ねじ２２が設けられて鍔部１４の第２のねじ部１５に螺合され、周側部には荷重調整用のスリット２３が対向して１対設けられている。また、下部内側には環状のフランジ２４が設けられている。
【００２５】
３１はデフレクタである。デフレクタ３１には、その中央部に略小判形状の穴３２が設けられ、周側には複数の散水用の爪片３３（図３参照）が所定角度に折り曲げられて設けられている。また、デフレクタ３１には複数、例えば３本のロッド３４（図３参照）が立設され、ロッド３４の上端はデフレクタ３１の降下を所定位置で停止させるためのストッパリング３５に係止されている。
【００２６】
４１は弁体である。弁体４１は、上面側に放水口１２内に入り込む凸部４２が設けられ、下面には突出部４３が設けられると共にその外側に複数（図１、図３では１対）の折り曲げ片４４が設けられている。
【００２７】
５１はアームガイドの基板である。基板５１は長板状とその中央部の円板部とからなり、円板部の中央部分には弁体４１の突出部４３と折り曲げ片４４が挿通する孔が設けられ、この孔を挿通した折り曲げ片４３の折り曲げによって弁体４１の下面に結合されている。５２は基板５１の長尺側の両側に設けた１対のガイド片５２（図１では１対のうち一方のみが図示されている）である。ガイド片５２は火災による作動時にデフレクタ３１の穴３２の周壁に案内されて降下する。従って、通常は、図１に図示されているように、その下端はデフレクタ３１より僅かに下方へ突出する長さ（高さ）を有している。この基板５１とガイド片５２とによってアームガイドを構成している。
【００２８】
５６はバランサである。バランサ５６は、長板部と、その両側の長辺を下方へ折り曲げた図示を省略した折り曲げ部とで構成されている。そして長板部の中央部分に凹部が設けられ、凹部には弁体４１の突出部４３が当接している。
【００２９】
６１は第１アーム（一方のアームの一例）である。第１アーム６１は、逆Ｊ字状で、逆Ｕ字状部の頭部がバランサ５６の長板部下面に当接し、短片部の端部はフランジ２４の上面に当接し係止し、長片部には第１係止穴６２と第２係止穴６３（第１の係止部の一例）とが設けられている。
【００３０】
７１は第２アーム（他方のアームの一例）である。第２アーム７１は細長板の上部を逆Ｊ字状に下部を」状に形成したものである。この第２アーム７１の縦長状のアーム部７２には第３係止穴７４が設けられているとともに、上端部の逆Ｕ字状部の頭部がバランサ５６の長板部下面に当接し、短片部の端部はフランジ２４の上面に係止されている。横長状の支持板部７３には、シリンダ８１を遊嵌支持する支持孔が設けられているとともに、先端には第１アーム６１の第２係止穴６３に着脱自在に係止される係止片７５（第２の係止部の一例）が設けられている。
【００３１】
８１はシリンダである。シリンダ８１は、上端部外周に環状鍔部を有する有底筒状で、その底壁下面に雄ねじ８２が設けられている。８４はシリンダ８１の底部に載置された所定温度、例えば７２度で溶融する可溶合金である。８５はシリンダ８１に遊嵌され可溶合金８４を押圧する有底筒状の第１ピストンである。
【００３２】
８６はリンク押さえ板である。リンク押さえ板８６は中央に雌ねじが設けられた板状部と、板状部の両端に設けられ第１係止穴６２と第３係止穴７４に遊嵌された嵌合片８７とで構成されている。
【００３３】
８８は第２ピストンである。第２ピストン８８は、リング押さえ板８６の雌ねじに螺合された上部の雄ねじ部と下部のロッド部とで構成され、ロッド部の先端が第１ピストン８５の底壁を押圧している。
【００３４】
９１は底壁中央の孔に雄ねじ８２が挿通された椀状の第１受熱板である。９２は中央の孔に雄ねじ８２が挿通された傘状の第２受熱板である。９３は円板状の第３受熱板である。この第１〜第３の受熱板９１〜９３は、第３受熱板９３の裏面に設けた雌ねじ９４を雄ねじ８２に螺合することでシリンダ８１の下面に密着固定されていて、可溶合金の受熱効率を高める作用をはたす。
【００３５】
１０１は弁体４１の上面に被された例えば銅製のパッキンである。このパッキン１０１は弁体４１の凸部４２が設けられた上面と相似形状をしており、弁体４１の凸部４２に嵌合されている。
【００３６】
１１１はパッキン１０１の外縁部から放射状に上向きに一体に形成された複数の散水片である。この複数枚からなる散水片１１１は、デフレクタ３１の外径より小径に構成されていて、弁体４１に一体的に設けられた第２のデフレクタの一例である。
【００３７】
そして複数の散水片１１１は、本実施の形態の場合には図１に示されているように、弁体４１が放水口１２を閉塞しているときは、本体１１の放水口１２の下端側筒部とその外側の鍔部１４の筒部との間の環状空隙に位置するので、散水片１１１を設けたことによる高さの増加は必要なく、大型化することはない。
【００３８】
図２はこの発明による第２の実施の形態の縦断面図である。
【００３９】
第２の実施の形態は、第２のデフレクタの構造が第１の実施の形態と異なるだけで他の点は第１の実施形態と同じなので、同じ部分は同一の符号を付して説明を省略する。
【００４０】
１２１は第２のデフレクタの一例としての散水板である。散水板１２１は、弁体４１と略同径の円板部と、この円板部の外縁から放射状に延伸されて所定角度に上方に折り曲げられた複数の散水片１２２とからなり、その外径はデフレクタ３１の外径より小径に構成されている。そして、この散水板１２１には、その円板部の中央部分に弁体４１の突出部４３と折り曲げ片４４が挿通する孔が設けられている。
【００４１】
この散水板１２１はアームガイドの基板５１上に載置され、散水板１２１と基板５１の孔に弁体４１の突出部４３と折り曲げ片４４が挿通され、折り曲げ片４４を折り曲げることにより、散水板１２１は弁体４１の下面と基板５１とによって挟持されて弁体４１と一体的に形成される。
【００４２】
そして複数の散水片１２２は、本実施の形態の場合には図２に示されているように、弁体４１が放水口１２を閉塞しているときは、フレーム２１の内周壁と弁体４１との間の環状空隙に位置するので、散水片１２２を設けたことによる高さの増加は必要なく、大型化することはない。
【００４３】
そして、第１および第２の実施の形態において、第１アーム６１、第２アーム７１、シリンダ８１、可溶合金８４、第１ピストン８５、リンク押さえ板８５、第２ピストン８７でリンク機構を構成している。そして、バランサ５６により、第１アーム６１はフランジ２４との係止点を支点として右回転力が、第２アーム７１はフランジ２４との係止点を支点として左回転力が作用している。これら回転力により第２ピストン８７が第１ピストン８５を介して可溶合金８４を下方に強く押圧し、これにより、第２アーム７１の係止片７５が第１アーム６１の第２係止穴６３に係止している。
【００４４】
このように構成されたスプリンクラヘッドは、通常時、すなわち火災監視状態時は図１もしくは図２に示す状態にある。
【００４５】
火災が発生して可溶合金８４が溶け始めると、溶けた可溶合金は第１ピストン８５に押され、シリンダ８１と第１ピストン８５との間の隙間から外部に流出する。これにより第１アーム６１は右回転を開始してその下端側は図１、図２において左方向への移動を開始し、第２アーム７１は左回転を開始してその下端側は図１、図２において右方向への移動を開始する。
【００４６】
このとき、第２アーム７１は縦長状のアーム部７２と横長状の支持部７３が」状に一体に構成されているので、図４（ｂ）と同じ状態となり、可溶合金８４の僅かな溶融で第１アーム６１の第２係止穴６３と第２アーム７１の係止片７５との係止が解除され、リンク機構は分解する。これにより、リンク機構を構成する各部品は下方へ落下する。
【００４７】
このように、第１アーム６１と第２アーム７１とは直接係止され、しかもその係止箇所は、いずれの実施の形態の場合でも、第１アーム６１の第２係止穴６３と第２アーム７１の係止片７５との係止点の一箇所だけなので、第１アーム６１と第２アーム７１との一箇所の係止を解くのに必要な僅かな移動、すなわち可溶合金８４の一定の溶融量で係止を解除でき、安定した作動が得られ、しかもヘッド間での作動のばらつきをなくすことができる。しかも従来の１対のアームを係止する支持板が不要となるので、部品点数を削減でき構造が簡単となり、組立ならびに調整が簡単にできる。また、第１と第２のアーム６１と７１は一定の移動（回転）で係止を解除するので、シリンダ８１の上昇量（距離）も一定のＬ１となり、従ってその分だけ高さを低くでき、スプリンクラヘッドを小型化できる。
【００４８】
リンク機構の分解落下により、弁体４１とアームガイドはデフレクタ３１のロッド３４と穴３２内を降下する一対のガイド片５２に案内されて降下する。
【００４９】
そして、第１の実施の形態の場合には、図３（ｂ）に図示されるように、弁体４１の下面の穴３２より幅広の図示しない膨出部がデフレクタ３１の上面に当接して着座する。
【００５０】
また、第２の実施の形態の場合には、図３（ｃ）に図示されるように、弁体４１の下面に接して設けた散水板１２１の穴３２より幅広の図示しない膨出部がデフレクタ３１の上面に当接して着座する。
【００５１】
このように弁体４１の降下により放水口１２は開放され、放水口１２から水、強化液あるいは泡水混合液などの消火用液体が棒状に近い状態で放水される。
【００５２】
放水口１２より放水された消火用液体は、第１の実施の形態の場合には、中心部の液体はパッキン１０１（弁体４１）及び散水片１１１に衝突して飛散され、その外側の液体はデフレクタ３１に衝突すると共に散水片１１１で飛散した液体にも衝突して飛散される。
【００５３】
また第２の実施の形態の場合には、中心部の液体はパッキン１０１（弁体４１）及び散水板１２１の散水片１２２に衝突して飛散され、その外側の液体はデフレクタ３１に衝突すると共に散水片１２２で飛散した液体にも衝突して飛散される。
【００５４】
これにより、第１および第２の実施の形態のいずれのばあいでも、デフレクタ３１を従来のように大径にすることなく、良好な散水状態を達成できる。
【００５５】
なお上記各実施の形態では、第１アーム６１を逆Ｊ字状、第２アームを」状の形状としたが、第１アームと第２アームとを一箇所で直接係止させる構造で有れば他の形状としても良い。
【００５６】
また、上記各実施の形態では第２のデフレクタを弁体４１と別体としたが、弁体４１の周側壁から直接複数の散水片を突出して設けるようにしても良い。
【００５７】
また、上記各実施の形態では、火災による作動時にデフレクタが降下するいわゆるフラッシュ型と言われるスプリンクラヘッドの場合について説明したが、リンク機構に２つのアームを有するものであれば、例えばマルチ型などの他の型式のスプリンクラヘッドでも同様に実施できる。
【図面の簡単な説明】
【００５８】
【図１】本発明の第１の実施の形態の縦断面図である。
【図２】本発明の第２の実施の形態の縦断面図である。
【図３】本発明の作用説明図である。
【図４】本発明および従来例の作用説明図である。
【図５】従来例の縦断面図である。
【符号の説明】
【００５９】
１１ 本体
１２ 放水口
２１ フレーム
３１ デフレクタ
４１ 弁体
５１ アームガイドの基板
５２ アームガイドのガイド片
６１ 第１のアーム
６２ 第１係止穴
６３ 第２係止穴（第１の係止部）
７１ 第２のアーム
７２ アーム部
７３ 支持部
７４ 第３係止片
７５ 係止片（第２の係止部）
８１ シリンダ
８４ 可溶合金
８５ 第１ピストン
８６ リンク押さえ板
８７ 嵌合片
９１、９２、９３ 受熱板
１０１ パッキン
１１１ 散水片（第２デフレクタ）
１２１ 散水板（第２デフレクタ）
１２２ 散水片
【図１】
0004612709.tif 000002
【図２】
0004612709.tif 000003
【図３】
0004612709.tif 000004
【図４】
0004612709.tif 000005
【図５】
0004612709.tif 000006